(57)【要約】      （修正有）【課題】落下やズレを防止して測定誤差を減少させた位置確認式電子体温計を提供する。【解決手段】電子体温計で、腋の下に挟むことが確実に認識できる温度検出部を設け、分離した温度表示部に温度測定記憶機能やスタートボタン、リセットボタンなどを備え、検温測定が認識できる表示ランプや検温測定の終了を知らせる電子ブザーなどを設け、コード１により繋ぎ、温度検出部を腋の下で認識できる形状とし、温度表示部を固定クリップで、衣類に固定させる。【選択図】図１
0003120660.tif 000002
【実用新案登録請求の範囲】
【請求項１】
人の腋の下等で体温を測定する電子体温計で、温度検出部と温度表示部を分離させ、腋の下に固定する温度検出部本体は、台形外形の角をなくした形とし、断面形状を翼形とし、下側を温度検出固定部とし、その中心より上側に位置する温度検出体を設け、両側を露出させ、そのふたつをコードで繋ぎ設けたことを特徴とする位置確認式電子体温計。
【請求項２】
前記、位置確認式電子体温計の温度検出部本体の中心より、上側に位置する温度検出部は、円柱形であり、円直径の５０％を温度検出部本体に埋め込み、両側に２５％ずつ露出させ、温度検出部本体が腋の下にあることを確実に確認できることと、それによる温度測定ミスを減少させることを特徴とする請求項１に記載の位置確認式電子体温計。
【請求項３】
前記記載の位置確認式電子体温計の温度表示部は、温度表示及び測定時間と１２回までの測定記憶を可能とし、スイッチを電源ボタン、スタートボタン、リセットボタンを設け、検温測定表示ランプと検温測定終了電子ブザーを備え、衣類に挟んで固定できることを特徴とした請求項１に記載の位置確認電子式体温計。
【考案の詳細な説明】
【技術分野】
【０００１】  本考案は、電子式体温計において、温度測定部と温度表示部を分離させ、体温検出部は、身体の腋の下に挟むことで、位置を含めて、挟んでいることを確実に確認でき、それによる安定した測定値が得られ、温度表示部は検温測定数値の記憶と検温測定のランプ表示や検温測定後の電子ブザーによる確認が、表の見えるところにあり、確実な検温測定を目的とした位置確認式電子体温計に関するものである。
【背景技術】
【０００２】  従来、分離するような電子式体温計には（
【特許文献】公開平７−２７６２５）や、（［実用新案文献］公開平７−３２５３１）などが上げられる。
【０００３】  従来の電子体温計は、一般的に棒状の温度検出部と温度表示部が一体型であり、腋の下で温度検出するが、測定終了を知らせる電子音が聞き取りにくいことや温度検出部が確実に腋の下にあるかどうかの感知確認が満足できるものではなく、特に老人や子供に対しては、不安と測定誤差が指摘されるものである。【０００４】  また、電子温度計の軽量及び、小型であることなどから、腋の下に挟むことのズレや、最悪に至っては、落とすことがあり、挟んでいることへの認識確認不足によって起きる不具合事項である。腋の下に挟んでいることのズレは、温度測定の誤差となり、正しい検温測定の数値とは、必ずしも云えない可能性が起こりうるものである。【０００５】  前記の特許文献で云えば、温度検出部が球状とあるが、これも軽量と小径の形であるので、腋の下に挟んでいることの身体の感知が、難しいと思われるものである。また、コードはループ状の為、輪となって２本出ていることから、絡まることや引っかかる可能性がある。これは、温度検出部や温度表示部及び、コードの破損などが指摘されるものである。【０００６】  後記の実用新案文献で云えば、従来の電子温度計を温度検出部とコード巻取り部及び、温度表示部それぞれに分離できるようにし、コネクターを使用し、接続させ、分離と組み立てを容易にしたものである。また、温度表示部からプリンターに接続させることを可能にしている。これも前記と同様であり、温度検出部の軽量が従来の電子体温計より、更に軽量であることから、同じような問題が指摘される。また、コードリール部が大きくなる為、それが邪魔になり非常に使いづらい面が出てくると思われる。温度表示部は、固定されなく、同時にコードリールの自重といっしょにぶら下がり状態である為、更に温度検出部のズレや落下の可能性があるものである。
【考案の開示】
【考案が解決しようとする課題】
【０００７】  本考案は、これら問題を解決し、腋の下で温度検出部を確実に挟むことができる形状とし、その認識が常時可能であり、そのズレや落下がなく、測定誤差を最小限にできるものである。また、温度表示部は、電源スイッチなどを備え、検温測定数値記憶を備え、衣類に固定できる位置確認式電子体温計を提供するものである。
【課題を解決する為の手段】
【０００８】  一般的に電子体温計は、家庭や病院と老人介護施設や職場などといろいろな場所での使用を考えられるが、ここでは、特に病院での手術患者の電子体温計の使用頻度を具体的に述べてみる。
【０００９】  検温は、入院から手術の前日までは、午前と午後で２回、手術日は２時間毎となり、手術の翌日から４日間は、１日４回となる。更にその後の退院までは、手術前と同様に１日２回となる。このように手術日の頻度が多く、１日最低２回は、検温をしなければならない。
【００１０】  手術直後の患者は、尿管や点滴、更には酸素マスクや各種の管が、身体に挿入されており、患者は検温に集中できないものである。そのことから、一般的検温時間の９０秒を長く感じ、電子体温計が腋の下になっている為、測定終了の電子音は、非常に聞き取りにくいなどの不具合を生じている。特に高齢者は、実感している場合が多々あるものである。
【００１１】  また、手術の翌日には、身体の動きが出てくる為、検温をしていることへの集中がなくなり、電子体温計の落下やズレが生じ、最悪破損などの危険性が、患者から指摘されている。
【００１２】  請求項１に記載の位置確認式電子体温計は、上記問題点を解決し、子供から老人に至るまで、安全で容易とし、更には確実に検温できるものとする。この位置確認式電子体温計は、温度検出部と温度表示部が分離しており、その信号のやり取りをコードとする。温度検出部の問題点を解決する為には、温度検出固定部を挟んでいることの認識を身体が感知できる翼形断面形状で、正面外観は丸みを帯びた台形にしたものであり、腋の下に密着させるものである。また、温度表示部は、上記問題点を解決し、老人や難聴の人には、検温測定中の検温測定表示ランプを点滅させることで確認させ、目の不自由な人には、測定終了電子ブザーで、知らせることが出来るものである。これは、衣類に固定できるものであるので、胸などの位置に固定でき、常時検温確認が確実性を持つことができるものである。
【００１３】  請求項２に記載の位置確認式電子体温計の温度検出部は、温度検出部本体の中心より上側に円柱形の温度検出部の中心部を埋め込み、嵌め込み、または接着し、温度検出部本体の両側から円弧で露出した温度検出部により、体温を感知するものである。温度検出部本体は、抗菌処理を施し、軽量を重視とし、更には、体温伝達効果の高いものが望ましい。
【００１４】  上記のように、肌の柔らかい部分に密着させる為、皮膚炎の防止は大切である。また腋の下に挟むことの負担を減少させる為、温度検出部本体をできるだけ軽量化にすることで、負担軽減することが可能である。体温伝達効果を求めることは、体温を正確に温度検出部に伝える目的であり、このような温度検出部本体であることが、検温誤差を減少させるひとつの方法でもある。
【００１５】  温度検出部本体の断面形状を翼形にしたことは、腋の下の隙間に合わせたものであり、胸側に当たる部位に温度検出部本体の平面部を密着させ、固定の基盤とし、腕側を円弧状で、しかも下側に行くほど厚みを増大させることで、腋の下のくぼみに更に密着させ、固定していることへの認識を持たせたものである。この場合の外形寸法は、腋の下のくぼみに入る寸法が最適であり、縦寸法が約３０ｍｍ、横寸法が約４０ｍｍ、厚さについては、下側のいちばん厚いところで、約１０ｍｍが適当であると考える。更にこの形状により、肌への密着度は向上し、落下はもちろん、ズレはなくなるものである。そして、それによる検温時の測定誤差は、減少するものである。
【００１６】  請求項３に記載の位置確認式電子体温計の温度表示部本体の大きさは、表示数値の読み取り確認が容易であり、各々のスイッチの操作も容易にしたものでなければならない。また、大き過ぎた場合、衣類へのクリップ固定が困難なる為、大きさと軽量化を図ることが必要である。それには、外形の縦寸法を約３０ｍｍ、横寸法を約４０ｍｍとし、厚さを約１０ｍｍ以下とすることが望ましい。
【００１７】  衣類への固定は、図４に示した温度表示部本体の裏側に位置するクリップであるが、この形状は、拘ることなく簡単に衣類への固定が可能であれば、方法が変わっても問題はないものである。また、クリップの方向の変化も同様である。
【００１８】  上記のように温度表示部本体の大きさであれば、従来の電池容量より格段に大きくさせることができ、それによる動作時間も延ばし、電池交換も可能である。また、電源スイッチを設けたことで、更に省エネが付け加えられるものである。表示は、電源スイッチを入れた時から、５分後に自動的に切断されるものとし、更なる節電向上を目指したものである。
【００１９】  検温測定スタートは、スタートボタンを押すことにより、確実な測定認識が、測定者の意志によって伝わるものであることと、それに付随して検温測定表示ランプが９０秒間点灯するので、検温測定の動作がはっきりと伝わるものである。尚、検温測定表示ランプは、検温測定が終了と同時に消灯するものであり、同時に電子ブザーによる電子音が数秒間鳴り続けるものである。
【００２０】  検温測定終了後は、その記録が温度表示部本体に記憶され、測定時間と検温測定数値が同時に表示板に表示されるものである。その記憶回数は１２回とし、一日の検温回数を満たすものであり、再度確認ができるものである。この検温の記録が保存されていることで、時間ごとの体温変化や個々の体温を即時に確認することができるものである。
【００２１】  検温測定終了後は、リセットボタンにより、表示を測定前の表示に復帰させ、次回に備えるものである。また、リセットボタンを約５〜１０秒押し続けることにより、全ての検温記録が、削除されるものである。
【００２２】  温度検出部本体と温度表示部本体は、約３００ｍｍ長さのコードで接続されており、信号のやり取りをするものである。このコードの中には、柔軟性のあるワイヤーが、破損防止として組まれていることが、望ましい。
【考案の効果】
【００２３】  本考案の位置確認式電子体温計は、断面翼形状の温度検出部本体により腋の下に密着させ、検温時の落下やズレによる測定不能や測定誤差をなくし、挟んでいることの意識を持たせ、検温測定時の確実度を向上させたものである。また、温度表示部本体を衣類の外に出すことで、その測定数値を常時確認することができ、測定終了確認も電子音と表示ランプにより、確実性のあるものとしたものである。
【００２４】  また、温度表示部本体に設けた各ボタンスイッチの効果は、電源スイッチを用いることで、省エネ効果とし、スタートボタンでは、検温スタートの確実な認識を向上させるものである。この温度表示部本体には１２回までの検温記録を記憶できるものであり、一日の検温測定回数を満たし、介護者や看護師の検温記録の補助や記録間違いをなくすことが可能である。この場合のリセットは、リセットボタンを瞬間的な短時間で押すことにより、今の検温表示を消去することが出来るものである。また、５〜１０秒間、リセットボタンを押し続けることで、全ての検温記録を消去し、リセットできるものである。
【００２５】  本考案は、使用者、介護者及び看護師など検温に関わる人にとって、検温時の誤差や精神的負担などの不安をなくし、更に安全性と確実性を向上させた電子体温計としたものである。
【考案を実施するための最良の形態】
【実施例】
【００２６】  本考案の実施例について、図１の位置確認式電子体温計の外観図と図２の位置確認式電子体温計の使用図と図３の温度検出部本体のＡ−Ａ’断面図を参照に説明する。【００２７】  図１の位置確認式電子体温計の外観図から、温度検出部本体１は、温度検出部４と温度検出本体固定部３と温度表示部本体２を繋ぐコード１１から、構成されている。温度検出部本体１は、図３Ａ−Ａ’断面図のように翼形であり、下側が厚くなっている。また、温度検出部４は、円柱形であり、温度検出部本体１の中心より、上側に位置し、その中心から、コード１１が引き出されているものである。【００２８】  図３に示すように温度検出部本体１の形状断面を翼形にした理由は、図２の位置確認式電子体温計の使用図にあるように、温度検出部本体１を腋の下に挟む場合、それが腋の下のくぼみに入り、密着可能にしたものである。温度検出部本体１の平面を三角筋に近くの広背筋に沿わせ、大胸筋で覆いかぶされたくぼみに合わせるものである。また、温度検出部本体１の円弧面は、腕を下ろすことで、上腕三頭筋などにより、その円弧を押さえられることで、更に密着度が増すものである。また、断面翼形状下側の厚みが厚くなっている部分が、温度検出部本体の固定確認を身体のどの部位で行っているかの実感が伝わるもので、確実に位置確認ができるものである。【００２９】  図３に示すように温度検出部４は、温度検出部本体１の上側に位置するが、この固定は、接着剤を用いるか、または、図１に示す温度検出部４の下部を基点にそれを囲む温度検出部本体１の上部と両端部で挟み、嵌入式にすることも良い。その場合、挟み込むことにすれば、取り外しが可能である為、温度検出部４単体で、別な用途に使用可能である。【００３０】  次に、図１の位置確認式電子体温計の外観図と図４の温度表示部本体Ｂ−Ｂ’断面図と図２の位置確認式電子体温計の使用図を用いて説明をする。【００３１】  図１の右図は、温度表示部本体２であるが、それの構成として、温度表示部本体２の中心より上側に温度表示部５を設け、その上側に検温測定表示ランプ９がある。中心より下側には、電源スイッチ６とスタートボタン７とリセットボタン８を設け、右末端には検温測定終了ブザー１０がある。更には、図４で示すように、温度表示部本体２の裏側に温度表示部本体クリップ１２を設け、温度検出部本体１とコード１１で繋ぎ、信号のやり取りをするものである。その際、コード１１の位置は、左右どちらでも良いものとする。【００３２】  図２のように温度表示部本体２は、病院用衣類やパジャマなどの衣類の胸付近に温度表示部本体固定クリップ１２で、固定されるものであるが、使用上に不都合が出る場合は、固定しなくても良い。また、図２のようにコード１１を首付近の衣類から出しているが、これも使用上で不都合が生じる場合には、別方向から出すことも良い。例えば、衣類の腕付近から出し、温度表示部本体２を衣類の袖手に固定することも方法のひとつである。【００３３】  電源スイッチ６は、電池の寿命を延ばすことを目的とし、スターとボタン７を押すことにより、検温測定が始まるものである。その際の９０秒間においては、検温測定表示ランプ９が点滅点灯しており、検温しているこ��が確実に確認できるようにしたものである。また、検温終了と同時に検温測定終了電子ブザー１０が、電子音で数秒間鳴り続けるが、反対に検温測定表示ランプ９は消灯するものである。【００３４】  検温測定が終了し、温度表示部５に体温は表示され、看護師や介護人が記録を取るが、この温度表示部本体２には、１２回の検温記録が記憶されるものである。この１２回の記憶は、従来において手術時の検温間隔が２時間毎である為、一日の回数が１２回となり、記憶回数も１２回が妥当の数字と判断される。リセットボタン８は、１回毎のリセットと全検温測定記憶のリセットを担当しているものである。【００３５】  検温測定を知らせる検温測定終了電子ブザー１０は、表側に出すことが重要で、従来は、衣類などに邪魔されるなど、電子音が聞こえづらい部分で鳴っていた為、電子音の目的が達成されない場合が多々あり、本考案でも裏側に位置させることは可能であるが、従来の問題点から指摘すると表側が望ましいと思われるものである。【００３６】  温度検出部本体１と温度表示部本体２とを繋ぐコード１１長さは、約３００ｍｍ前後が、最も使用に負担が掛からず、破損も起こさない長さと云えるものである。また、コード１１の内部には、破損劣化防止として、柔軟性のワイヤー及び強固な繊維を組み込むことが望まれるものである。また、コード１１の線形は、丸形であり、約２〜３ｍｍ前後で柔軟性のあることが、使用上において好まれるものである。
【図面の簡単な説明】
【００３７】
【図１】位置確認式電子体温計の外観図である。
【図２】位置確認式電子体温計の使用図ある。
【図３】温度検出部本体のＡ−Ａ’断面図である。
【図４】温度表示部本体のＢ−Ｂ’断面図である。
【符号の説明】
１、  温度検出部本体
２、  温度表示部本体
３、  温度検出固定部
４、  温度検出部
５、  温度表示部
６、  電源スイッチ
７、  スタートボタン
８、  リセットボタン
９、  検温測定表示ランプ
１０、  検温測定終了電子ブザー
１１、  コード
１２、  温度表示部本体固定クリップ
【図１】
0003120660.tif 000003
【図２】
0003120660.tif 000004
【図３】
0003120660.tif 000005
【図４】
0003120660.tif 000006